(57)【要約】【課題】ユーザが厚手原稿の圧板スキャンや、通常の読み取り動作と異なる読み取り動作を行った場合でも、ユーザが原稿を取り忘れていたか否かの検知の精度を向上させる。【解決手段】プラテンガラス５２に光を照射して、原稿または圧板の各副走査方向位置での複数の輝度情報を読み取る読取ユニット５９と、副走査方向の複数の輝度情報のうちの最大の輝度情報と最小の輝度情報と、これら輝度情報に対応した副走査方向の位置を取得する最大・最小輝度値／副走査位置算出回路６３０，６３１と、圧板の開閉状態を検知する圧板開閉センサ６１の検知結果と、最大・最小輝度値／副走査位置算出回路６３０，６３１が取得した副走査方向の位置での輝度情報と、最大・最小輝度値／副走査位置算出回路６３０，６３１が取得した最大の輝度情報または最小の輝度情報に基づいて、プラテンガラス５２に原稿が残存しているか否かを判断するＣＰＵ１２とを有する。【選択図】図４
2013214897.tif 000002
【特許請求の範囲】
【請求項１】
原稿台上の原稿を押圧する圧板と、
前記原稿台に光を照射して、前記原稿または前記圧板の各副走査方向位置での複数の輝度情報を読み取る読み取り手段と、
前記読み取り手段を副走査方向に移動される移動手段と、
前記副走査方向の複数の輝度情報のうちの高輝度情報と低輝度情報と、前記高輝度情報と前記低輝度情報に対応した副走査方向の位置を取得する取得手段と、
前記圧板の開閉状態を検知する検知手段と、
前記検知手段の検知結果と、前記検知結果に基づいて前記読み取り手段が取得した前記副走査方向の位置で再度取得した輝度情報と、前記取得手段が取得した高輝度情報または低輝度情報に基づいて、前記原稿台上に原稿が残存しているか否かを判断する判断手段と、
を有することを特徴とする画像読取装置。
【請求項２】
原稿台上の原稿を押圧する圧板と、
前記原稿台に光を照射して、前記原稿または前記圧板の各副走査方向位置での複数の輝度情報を読み取る読み取り手段と、
前記読み取り手段を副走査方向に移動される移動手段と、
前記副走査方向の複数の輝度情報のうちの最大の輝度情報と最小の輝度情報と、前記最大の輝度情報と前記最小の輝度情報に対応した副走査方向の位置を取得する取得手段と、
前記圧板の開閉状態を検知する検知手段と、
前記検知手段の検知結果に基づいて、前記読み取り手段を、前記取得手段が取得した位置に前記移動手段により移動させた後、読み取り動作を実行させて輝度情報を取得させる制御手段と、
前記読み取り手段により前記取得した前記輝度情報と前記取得手段が取得した最大の輝度情報または最小の輝度情報の差が所定の閾値以上の場合は、前記原稿台上に原稿が残存していると判断する判断手段と、
を有することを特徴とする画像読取装置。
【請求項３】
原稿台上の原稿を押圧する圧板と、
前記原稿台に光を照射して、前記原稿または前記圧板の各副走査方向位置での複数の輝度情報を読み取る読み取り手段と、
前記読み取り手段を副走査方向に移動される移動手段と、
前記副走査方向の複数の輝度情報のうちの最大の輝度情報と前記最大の輝度情報に対応した位置を取得する第１の取得手段と、
前記副走査方向の複数の輝度情報のうちの最小の輝度情報と前記最小の輝度情報に対応した位置を取得する第２の取得手段と、
前記圧板の開閉状態を検知する検知手段と、
前記検知手段が前記圧板が開いた状態を検知した場合には、前記読み取り手段を、前記第１の取得手段が取得した位置に前記移動手段により移動させ、前記検知手段が前記圧板が閉じた状態を検知した場合には、前記読み取り手段を前記第２の取得手段が取得した位置に前記移動手段により移動させた後、前記読み取り手段に読み取り動作を実行させて輝度情報を取得させる制御手段と、
前記読み取り手段により前記取得した輝度情報と前記第１の取得手段が取得した最大の輝度情報の差が所定の閾値以上の場合、及び、前記読み取り手段により前記取得した輝度情報と前記第２の取得手段が取得した最小の輝度情報の差が所定の閾値以上の場合は、前記原稿台上に原稿が残存していると判断する判断手段と、
を有することを特徴とする画像読取装置。
【請求項４】
前記読み取り手段は、主走査方向の１ラインの輝度情報を読み取ることを特徴とする請求項１乃至３のいずれか１項に記載の画像読取装置。
【請求項５】
請求項１乃至４のいずれか１項に記載の画像読取装置と、ユーザに前記原稿台上に原稿が存在するか否かの情報を報知する報知手段を有し、
前記判断手段が、前記原稿台上に原稿が残存していると判断した場合には、前記報知手段は、その旨をユーザに報知することを特徴とする画像形成装置。
【請求項６】
前記画像形成装置は、ユーザがログインして原稿の読み取りを行うものであって、
前記報知手段が、前記原稿台上に原稿が残存している旨をユーザに報知した場合に、前記残存している原稿を取り除かない限り、ユーザのログアウトの処理を行わないことを特徴とする請求項５記載の画像形成装置。
【発明の詳細な説明】
【技術分野】
【０００１】
本発明は、原稿の画像を読み取る画像読取装置及び画像形成装置に関する。
【背景技術】
【０００２】
従来、複写機の画像読取装置の読み取り方式には、１枚の原稿をプラテンガラスの上に載せ圧板で押さえて読み取る（以下、圧板スキャンという）方式がある。また、複数の原稿束を原稿トレイに載せ、ＡＤＦ（自動原稿搬送装置）により原稿搬送を伴って読み取る（以下、流し読みという）方式もある。圧板スキャン方式は、主に本や冊子のように原稿が厚い場合など、ＡＤＦで搬送できない原稿の読み取りに使用される。圧板スキャン方式では、原稿の平坦性を確保した状態で読み取るために、プラテンガラス上に回動する圧板で原稿を上方から抑えた状態で読み取りを行う。この場合、原稿が圧板で隠れて見えなくなるため、利用者は装置の使用後に原稿を置き忘れてしまうことがあり、原稿の画像情報によっては機密上の問題が発生する場合がある。また、置き忘れた原稿の厚みによっては圧板がプラテンガラスから離れてしまい、次の利用者が流し読みを行った場合に、正常に搬送できず原稿を傷めてしまうこともあった。
【０００３】
上述の問題に対し、圧板の開閉動作をセンサで監視し、圧板スキャン後に、圧板が開閉されることなくＡＤＦに原稿がセットされたままである場合、置き忘れ原稿がある旨の警告を行う技術が、例えば特許文献１に開示されている。
【先行技術文献】
【特許文献】
【０００４】
【特許文献１】特開平６−１０２７３３号公報
【発明の概要】
【発明が解決しようとする課題】
【０００５】
しかし、原稿の取り忘れの検知において、例えば特許文献１のように圧板の開閉で原稿有無を判断する方法では、以下の課題がある。すなわち、圧板を閉じることができない厚手原稿のスキャンや、利用者が最初から圧板を開けた状態でスキャンした場合には、圧板開閉センサの閉状態から開状態への変化が無い為に原稿が取り除かれたことを正しく検知できない。また、圧板スキャン後に、圧板開閉センサが開状態にならない程度に圧板を開けて原稿を取り除いた場合、原稿の除去を検知できない。また、圧板スキャン後に、圧板を開けて原稿を取らずに閉めた場合、原稿が取り除かれたと誤判断してしまうという課題があった。
【０００６】
本発明は、このような状況のもとでなされたもので、ユーザが厚手原稿の圧板スキャンや、通常の読み取り動作と異なる読み取り動作を行った場合でも、ユーザが原稿を取り忘れていたか否かを精度よく検知することを目的とする。
【課題を解決するための手段】
【０００７】
前記課題を解決するために、本発明は、以下の構成を有する。
【０００８】
（１）原稿台上の原稿を押圧する圧板と、前記原稿台に光を照射して、前記原稿または前記圧板の各副走査方向位置での複数の輝度情報を読み取る読み取り手段と、前記読み取り手段を副走査方向に移動される移動手段と、前記副走査方向の複数の輝度情報のうちの高輝度情報と低輝度情報と、前記高輝度情報と前記低輝度情報に対応した副走査方向の位置を取得する取得手段と、前記圧板の開閉状態を検知する検知手段と、前記検知手段の検知結果と、前記検知結果に基づいて前記読み取り手段が取得した前記副走査方向の位置で再度取得した輝度情報と、前記取得手段が取得した高輝度情報または低輝度情報に基づいて、前記原稿台上に原稿が残存しているか否かを判断する判断手段と、を有することを特徴とする画像読取装置。
【０００９】
（２）原稿台上の原稿を押圧する圧板と、前記原稿台に光を照射して、前記原稿または前記圧板の各副走査方向位置での複数の輝度情報を読み取る読み取り手段と、前記読み取り手段を副走査方向に移動される移動手段と、前記副走査方向の複数の輝度情報のうちの最大の輝度情報と最小の輝度情報と、前記最大の輝度情報と前記最小の輝度情報に対応した副走査方向の位置を取得する取得手段と、前記圧板の開閉状態を検知する検知手段と、前記検知手段の検知結果に基づいて、前記読み取り手段を、前記取得手段が取得した位置に前記移動手段により移動させた後、読み取り動作を実行させて輝度情報を取得させる制御手段と、前記読み取り手段により前記取得した前記輝度情報と前記取得手段が取得した最大の輝度情報または最小の輝度情報の差が所定の閾値以上の場合は、前記原稿台上に原稿が残存していると判断する判断手段と、を有することを特徴とする画像読取装置。
【００１０】
（３）原稿台上の原稿を押圧する圧板と、前記原稿台に光を照射して、前記原稿または前記圧板の各副走査方向位置での複数の輝度情報を読み取る読み取り手段と、前記読み取り手段を副走査方向に移動される移動手段と、前記副走査方向の複数の輝度情報のうちの最大の輝度情報と前記最大の輝度情報に対応した位置を取得する第１の取得手段と、前記副走査方向の複数の輝度情報のうちの最小の輝度情報と前記最小の輝度情報に対応した位置を取得する第２の取得手段と、前記圧板の開閉状態を検知する検知手段と、前記検知手段が前記圧板が開いた状態を検知した場合には、前記読み取り手段を、前記第１の取得手段が取得した位置に前記移動手段により移動させ、前記検知手段が前記圧板が閉じた状態を検知した場合には、前記読み取り手段を前記第２の取得手段が取得した位置に前記移動手段により移動させた後、前記読み取り手段に読み取り動作を実行させて輝度情報を取得させる制御手段と、前記読み取り手段により前記取得した輝度情報と前記第１の取得手段が取得した最大の輝度情報の差が所定の閾値以上の場合、及び、前記読み取り手段により前記取得した輝度情報と前記第２の取得手段が取得した最小の輝度情報の差が所定の閾値以上の場合は、前記原稿台上に原稿が残存していると判断する判断手段と、を有することを特徴とする画像読取装置。
【発明の効果】
【００１１】
本発明によれば、ユーザが厚手原稿の圧板スキャンや、通常の読み取り動作と異なる読み取り動作を行った場合でも、ユーザが原稿を取り忘れていたか否かを精度よく検知することができる。
【図面の簡単な説明】
【００１２】
【図１】実施例の画像形成装置の外観図、及び画像読取装置の断面図
【図２】実施例の画像読取装置のブロック図
【図３】実施例の画像処理部内及びＣＣＤラインセンサ内のブロック図
【図４】実施例の原稿取り忘れ制御のフローチャート
【図５】実施例の読み取りユニットの動作を示す図
【図６】実施例の最大輝度、最小輝度の算出例を説明する図
【図７】実施例のコントローラ部における制御のフローチャート
【図８】実施例の操作表示部の表示画面を説明する図
【発明を実施するための形態】
【００１３】
本発明を実施するための形態を、実施例により以下に説明する。
【実施例】
【００１４】
＜画像読取装置＞
本実施例の画像読取装置を有する画像形成装置は、図１（ａ）のようにリーダ部５０とＡＤＦ部１０を有する画像読取装置である画像読取部１００、操作表示部２１０を有するコントローラ部２００（図２参照）、プリンタ部５００、後処理部５１０から構成される。
【００１５】
本実施例における、圧板スキャン時及び流し読み時の画像読取部１００の動作について、図１（ｂ）及び図２を参照しながら説明する。図１（ｂ）は、画像読取部１００を模式的に示す断面図である。リーダ部５０の上部には、原稿台であるプラテンガラス５２、基準白板６０、流し読みガラス５１が設置されている。リーダ部５０の内部には、キャリッジホームポジション（以下、ＨＰという）センサ６２が設置されており、電源投入時に読取ユニット５９の位置合わせに用いられる。また、圧板開閉センサ６１を備えており、回動するＡＤＦ部１０の角度が所定値（本実施例では２５°）以上開いたことを検知できる。圧板スキャン時には、光学モータ４０（図２参照）を駆動し、読取ユニット５９を原稿の副走査方向（図１においては右方向）に走査する。なお、副走査方向とは流し読み時に原稿が搬送される方向をいう。読取ユニット５９内部には、ＬＥＤ５３，ミラー５４が設置されており、プラテンガラス５２に載置された原稿の下面をＬＥＤ５３で照射し、その反射光をミラー５４，５５，５６、レンズ５７を経て、ＣＣＤラインセンサ５８によって読み取る。
【００１６】
圧板スキャンを行う場合、ユーザはＡＤＦ部１０を開けてプラテンガラス５２の所定の位置（実施例では左奥側突き当て基準）に原稿を載置し、ＡＤＦ部１０を閉じて原稿を押圧する。このとき、画像読取部１００は読取ユニット５９をプラテンガラス５２上の所定位置に移動させ、ＬＥＤ５３及びＣＣＤラインセンサ５８を駆動して、原稿のサイズ検知を行う。原稿のサイズ検知は主走査方向と副走査方向の２方向のサイズ検知の結果から定型サイズを計算で算出する。なお、主走査方向とは副走査方向と直交する方向（図１で紙面に垂直な方向）をいう。副走査方向のサイズは図示せぬ圧板原稿サイズセンサによって判別され、プラテンガラス上（原稿台上）の原稿がラージ原稿かスモール原稿かを判別する。
【００１７】
主走査方向の原稿のサイズ検知用に、プラテンガラス５２と対向するＡＤＦ部１０側に白色の圧板２６が設けられている。ＣＣＤラインセンサ５８には、原稿が存在する主走査方向の領域では、圧板２６の開閉状態に関わらず同じ画像データが入力される。しかし、原稿外の領域では圧板２６が開いているときは反射光が無いため暗いデータが入力され、圧板２６が閉じているときは圧板２６の反射光があるため白色のデータが入力される。この特性を利用して、圧板２６が開状態から閉状態に変化する際の、時間的な主走査方向１ラインの変化を検出することで、主走査方向のサイズ検知を行う。原稿が真っ白であれば圧板２６が開状態でも原稿部分は白く、非原稿部分は黒く読まれ主走査方向のサイズを検知することは可能であるが、原稿が真っ黒であれば、原稿部分及び非原稿部分共に黒く読まれ主走査方向のサイズを検知することはできない。そこで、圧板２６の開状態と閉状態において、所定の副走査位置での主走査方向１ラインを読み込んで、黒から白に変化した部分を「原稿無し画素」として主走査の原稿領域を計算し、この計算結果を基に主走査方向のサイズ検知を行う。圧板スキャンが終了すると、ユーザは再びＡＤＦ部１０を開け、プラテンガラス５２の原稿を取り除きＡＤＦ部１０を閉める操作を行う。
【００１８】
ＡＤＦ部１０は、少なくとも１枚以上のシートで構成される原稿束を載置する原稿トレイ１と、原稿束の最上面の原稿を機内に送り込むピックアップローラ２とを有する。原稿トレイ１の下方には原稿検知センサ７が設置されている。原稿の搬送開始前に、搬送モータＡ  ３７（図２参照）を駆動することでピックアップローラ２を降下させる。原稿の給送動作が開始すると、ピックアップローラ２によって給送された原稿はフィードローラ４とリタードローラ５から構成される分離ローラ対の作用によって１枚に分離される。この分離は周知のリタード分離技術によって行われる。分離された原稿は、引抜ローラ対６、搬送ローラ対１３により、分離後センサ１１、レジ前センサ１４を経て搬送され、レジストローラ対１５に突き当てられる。その結果、原稿はループ状にされ、原稿の搬送における斜行が解消される。
【００１９】
レジストローラ対１５を通過した原稿は、流し読みガラス５１方向へ搬送され、プラテン上流ローラ対１６、プラテンローラ１７に搬送される。ここで、プラテンローラ１７は、流し読みガラス５１に接触しており、プラテンローラ１７を通過する原稿の表面はＬＥＤ５３で照射される。その反射光をミラー５４，５５，５６、レンズ５７を経て、ＣＣＤラインセンサ５８によって検知することで原稿画像を読み取ることができる。プラテンローラ１７により搬送された原稿は、プラテン下流ローラ対１８を通過し、排紙センサ２３を経て排紙ローラ対２４によって、原稿排紙トレイ２５上に排出される。
【００２０】
なお、圧板スキャン動作及び、原稿流し読み動作前に基準白板６０をＣＣＤラインセンサ５８で読み取り、シェーディングによる画像補正データを生成することで、主走査方向に均一な濃度の画像を得ることができる。
【００２１】
＜制御ブロックの構成＞
図２は本実施例の制御ブロック図である。画像読取部１００は、中央演算処理装置である制御部（図中ＣＰＵと表示し、以下ＣＰＵという）１２、リードオンリーメモリ（図中ＲＯＭと表示し、以下ＲＯＭという）８０、ランダムアクセスメモリ（図中ＲＡＭと表示し、以下ＲＡＭという）９０を有する。ＲＯＭ８０には、制御用プログラムが格納されており、ＲＡＭ９０には、入力データや作業用データが格納されている。また、画像読取部１００は読取ユニット５９を駆動させるための光学モータ４０、読取ユニット５９の位置出しのためのキャリッジＨＰセンサ６２、圧板開閉センサ６１も有している。
【００２２】
また、ピックアップローラ２、フィードローラ４、リタードローラ５を駆動する搬送モータＡ  ３７、引抜ローラ対６、搬送ローラ対１３を駆動する搬送モータＢ  ３８も有している。更に、プラテン上流ローラ対１６、プラテンローラ１７、プラテン下流ローラ対１８、排紙ローラ対２４を駆動する搬送モータＣ  ３９も有している。また、原稿検知センサ７、分離後センサ１１、レジ前センサ１４、排紙センサ２３、ＬＥＤ５３がＣＰＵ１２に接続されている。また、ＣＣＤラインセンサ５８で読み取った画像データは画像処理部７０を介してコントローラ部２００に転送される。
【００２３】
コントローラ部２００は、ＣＰＵ２０１を備えており、ＣＰＵ１２との間のシリアル通信ラインを介して画像読取制御に関するデータの授受を行う。画像データは画像処理部７０と画像処理部２０２の間の画像ラインを介して授受を行い、画像読取部１００から受信したデータは画像メモリ２０３に格納される。また、コントローラ部２００は操作表示部２１０を有しており、ユーザとのインターフェース制御は操作表示部２１０を介してＣＰＵ２０１によって行われる。また、コントローラ部２００はカードリーダ３００を有しており、画像形成装置へのログインの際にユーザを識別するためのＩＤカードを読み取ることができる。なお、プリンタ部５００はＣＰＵ５０１を、後処理部５１０はＣＰＵ５１１を有している。
【００２４】
図３は、画像処理部７０とＣＣＤラインセンサ５８の内部構成を示した図である。ＣＣＤラインセンサ５８は、ＢＷセンサ４０１、Ｂ（ＢＬＵＥ）センサ４０２、Ｇ（ＧＲＥＥＮ）センサ４０３、Ｒ（ＲＥＤ）センサ４０４から構成され、各色センサからのアナログ出力はＡ／Ｄ変換回路６０１〜６０３に入力され、デジタルデータに変換される。ＢＷセンサの出力はＡ／Ｄ変換回路６０２と６０３に入力される。Ａ／Ｄ変換回路６０１〜６０３により変換されたデジタルデータはシェーディング補正回路６０５〜６０７を経てシェーディング補正された後、画像転送回路６５２を経てコントローラ部２００の画像処理部２０２に転送される。シェーディング補正回路６０５〜６０７と画像転送回路６５２の間には、主走査方向１ラインの輝度値加算回路６２０がある。輝度値加算回路６２０は、主走査方向１ライン毎に、主走査方向１ラインの区間にある７２００画素の輝度値を加算する。この回路の主走査方向の開始位置と終了位置はＣＰＵ１２が指定する。すなわち、ユーザが原稿をセットしてＡＤＦ部１０を閉じた際に検知した原稿サイズの主走査方向のサイズを設定することで、原稿が存在する主走査方向の区間に限定して画素の輝度値を加算し、加算輝度データを求める。最大輝度値／副走査位置算出回路６３０（第１の取得手段）は主走査方向１ラインの輝度値加算回路６２０で算出した、複数の主走査方向ラインの加算輝度データ（複数の輝度情報）における最大値（最大輝度値）を検出する。そして、最大輝度値に対応したプラテンガラス５２上での読取ユニット５９の副走査方向位置（すなわち、主走査方向ラインの位置、最大輝度位置）を特定する。副走査位置の特定は、図示せぬ副走査同期信号（ＶＳＹＮＣ）からの主走査同期信号（ＨＳＹＮＣ）のカウント値を算出することで行われる。
【００２５】
最小輝度値／副走査位置算出回路６３１（第２の取得手段）は、主走査方向１ライン毎に、主走査方向１ラインの輝度値加算回路６２０で算出した、複数の主走査方向ラインの加算輝度データ（複数の輝度情報）における最小値（最小輝度値）を検出する。そして、最小輝度値に対応したプラテンガラス５２上での読取ユニット５９の副走査方向位置（最小輝度位置）を特定する。これらの回路の副走査の開始位置と終了位置はＣＰＵ１２が指定する。すなわち、ユーザが原稿をセットしてＡＤＦ部１０を閉じた際に検知した原稿サイズの副走査サイズを設定することで、原稿が存在する副走査方向の区間に限定して画素を検出することができる。
【００２６】
なお、上述のように輝度値加算回路６２０は、主走査方向１ライン毎に、主走査方向１ラインの区間にある画素の輝度値を加算したが、更に加算した輝度値の平均値を算出する回路であってもよい。この場合、最大輝度値／副走査位置算出回路６３０、最小輝度値／副走査位置算出回路６３１は、算出された輝度値の平均値における最大／最小輝度値、最大／最小輝度位置を算出する。
【００２７】
＜原稿取り忘れ防止制御のフローチャート＞
図４は、電源を投入してからの画像読取部１００の原稿取り忘れ防止制御のフローチャートである。まず、ＣＰＵ１２は、図４（ａ）のステップ（以下、Ｓという）１００１で、電源投入後に画像読取部１００で保持している、取り忘れ原稿ステータスを０に初期化する。次に、ＣＰＵ１２は、Ｓ１００２で、コントローラ部２００から圧板スキャンによる印刷ジョブ（以下、圧板ジョブという）が投入されたか否かを判断する。ＣＰＵ１２は、Ｓ１００２で圧板ジョブが投入されていないと判断した場合は、Ｓ１０１８で、流し読みによる印刷ジョブ（以下、流し読みジョブという）が投入されたかを判断し、投入されていればＳ１０１９で、流し読みジョブを実行しＳ１００２の処理に戻る。ＣＰＵ１２は、Ｓ１０１８で流し読みジョブが投入されていないと判断した場合は、Ｓ１００２の処理に戻る。
【００２８】
ＣＰＵ１２は、Ｓ１００２で圧板ジョブが投入されたと判断した場合には、Ｓ１００３で、ＬＥＤ５３とＣＣＤラインセンサ５８をオン（図中、ＯＮと表示）にし、読取ユニット５９を基準白板６０の直下に移動させ、基準白板６０を読み取らせる。画像処理部７０は、基準白板６０のデータを基に、シェーディング補正回路６０５〜６０７によりシェーディング補正データの生成を行う。次に、ＣＰＵ１２は、Ｓ１００４で、コントローラ部２００からの画像読み取りコマンドに従って、読取ユニット５９を読み取り終了位置まで移動させながら原稿を読み取る。この時、読取ユニット５９の位置は、図５（ｂ）に示すように原稿Ｐの右端である。
【００２９】
次に、ＣＰＵ１２は、Ｓ１００５で、ＬＥＤ５３とＣＣＤラインセンサ５８をオフ（図中、ＯＦＦと表示）する。そして、Ｓ１００４で読み取った主走査方向ラインの各画素の輝度情報から、輝度値加算回路６２０により主走査ラインごとに加算輝度データを算出する。その後、最大輝度値／副走査位置算出回路６３０と最小輝度値／副走査位置算出回路６３１により最大輝度値／最小輝度値を検出する。そして、これら輝度値の副走査位置を算出する。
【００３０】
図６（ａ）は、Ｂ４サイズの原稿Ｐを圧板スキャンした際の原稿画像であり、図６（ｂ）はそのときの主走査方向１ラインの輝度値加算回路６２０により算出された加算輝度データと副走査位置の関係を示すグラフである。
【００３１】
このグラフから画像データの主走査方向に明るい色のデータが含まれるラインは加算輝度データが高くなり、暗い色のデータが含まれるラインは加算輝度データが低くなることがわかる。
【００３２】
圧板スキャン直後は、原稿Ｐは残存しているものとして、ＣＰＵ１２は、Ｓ１００６で、取り忘れ原稿ステータスを１にする。通常、この時点でユーザは原稿Ｐを取り除く動作を行う。
【００３３】
次に、ＣＰＵ１２は、Ｓ１００７で、圧板開閉センサ６１の出力をチェックし、圧板開閉センサ６１の検知結果に基づいて圧板２６が開いているか否かを判断する。ＣＰＵ１２は、Ｓ１００７で圧板開閉センサ６１の検知結果に基づき圧板２６が開いていないと判断した場合、Ｓ１０１２で光学モータ４０を駆動し、読取ユニット５９をＳ１００５で取得した最小輝度位置（図５（ｃ）の位置）に移動する。ＣＰＵ１２は、Ｓ１０１３で、所定間隔（本実施例では１秒間隔）で、図４（ｂ）に示す更新処理を行う。更新処理では、ＣＰＵ１２は、Ｓ１１０１で、ＬＥＤ５３、及びＣＣＤラインセンサをオン（図中ＯＮと表示）させる。Ｓ１１０２で、ＣＣＤラインセンサから、Ｓ１０１２にて移動した読み取り位置の主走査方向ラインの各画素の輝度情報を再度取得する。そして、輝度値加算回路６２０で算出された加算輝度データを取得する。ＣＰＵ１２は、Ｓ１１０３で、ＬＥＤ５３とＣＣＤラインセンサをオフ（図中ＯＦＦと表示）させ、更新処理を終了する。
【００３４】
次に、ＣＰＵ１２は、プラテンガラス５２上の原稿Ｐがユーザによって取り除かれたかどうかを判断する。圧板２６が閉じている状態であり、かつ、プラテンガラス５２上の原稿Ｐが取り除かれた場合、圧板２６の反射光によって、白色のデータが更新処理のＳ１１０２で現在の輝度情報として取得される。
【００３５】
そこで、ＣＰＵ１２は、Ｓ１０１４で、Ｓ１００５で取得した最小輝度位置における加算輝度データとＳ１０１３の更新処理で得られた加算輝度データとの差分が所定の閾値以上か否かを判断する。Ｓ１０１４でＣＰＵ１２はその差分が所定の閾値以上と判断した場合には、原稿Ｐが取り除かれたと判断し、Ｓ１０１５で取り忘れ原稿ステータスを０にする。次にＣＰＵ１２は、Ｓ１０１６で取り忘れ原稿ありなし情報を、ここでは「なし」としてコントローラ部２００に通知する。
【００３６】
一方、ＣＰＵ１２が、Ｓ１０１４で、差分が所定の閾値未満であると判断した場合には、原稿Ｐが残っていると判断し、取り忘れ原稿ステータスを１のままとし、Ｓ１０１６でコントローラ部２００に取り忘れ原稿ありなし情報を、ここでは「あり」として通知する。
【００３７】
ＣＰＵ１２は、Ｓ１０１７で、取り忘れ原稿ステータスが０であるか否かを判断し、０であるすなわち原稿Ｐが残っていないと判断した場合、Ｓ１００２の処理に戻る。ＣＰＵ１２は、Ｓ１０１７で、取り忘れ原稿ステータスが０でない、すなわち原稿Ｐが残っていると判断した場合、Ｓ１００７の処理に戻る。
【００３８】
ＣＰＵ１２は、Ｓ１００７で、圧板開閉センサ６１の検知結果に基づき圧板２６が開いていたと判断した場合には、Ｓ１００８で、光学モータ４０を駆動し、読取ユニット５９をＳ１００５で取得した最大輝度位置（図５（ｄ）の位置）に移動する。次にＣＰＵ１２は、Ｓ１００９で、所定間隔（実施例では１秒間隔）で、図４（ｂ）に示すＳ１１０１〜Ｓ１１０３の更新処理を行う。圧板２６が開いている状態でプラテンガラス５２上の原稿Ｐが取り除かれた場合、圧板２６の反射光が無いため、黒色のデータが入力される。そこで、ＣＰＵ１２は、Ｓ１０１０で、Ｓ１００５で取得した最大輝度位置での加算輝度データと、Ｓ１００９の更新処理で得られた加算輝度データとの差分が所定の閾値以上と判断した場合、原稿Ｐが取り除かれたと判断する。そして、Ｓ１０１１で取り忘れ原稿ステータスを０にする。次にＣＰＵ１２は、Ｓ１０１６で取り忘れ原稿ありなし情報を、ここでは「なし」としてコントローラ部２００に通知する。ＣＰＵ１２は、Ｓ１０１０で、差分が所定値未満であると判断した場合には、原稿Ｐがまだ残っていると判断し、取り忘れ原稿ステータスを０にせずに、Ｓ１０１６で取り忘れ原稿ありなし情報を、ここでは「あり」としてコントローラ部２００に通知する。続いて、上述したＳ１０１７の処理を行う。
【００３９】
上述の原稿取り忘れ防止制御のフローチャートでは、最大輝度値／最小輝度値及び最大輝度位置／最小輝度位置に基づいて原稿Ｐのありなしを判断した。しかし、最大輝度値／最小輝度値に替えて上位の輝度値のうちのいずれか（高輝度情報）、下位の輝度値のいずれか（低輝度情報）を採用し、位置も上位の輝度位置のいずれかに対応した位置、下位の輝度位置のいずれかに対応した位置としてもよい。
【００４０】
以上により、圧板２６を閉じてスキャンができない厚手原稿のスキャンや圧板２６を開けた状態でスキャンした場合や、圧板スキャン後に圧板開閉センサが開状態にならない程度に圧板を開けて原稿を取り除いた場合でも原稿が取り除かれたか否かを検知できる。また、圧板スキャン後に圧板２６を開けて原稿を取らずに閉めた場合であっても、プラテンガラス５２上の画像情報を定期的に監視することで、原稿が取り除かれていないことを検知できる。この際、圧板２６の開閉状態によって、原稿が取り除かれた際に黒に変化するか、白に変化するかという情報を使い分けることで、原稿取り忘れ防止の検知精度を向上できる。
【００４１】
＜コントローラ部における制御のフローチャート＞
図７はユーザが画像形成装置にログインを完了してから、ログアウトを完了するまでのコントローラ部２００における制御のフローチャートであり、図８は操作表示部２１０に表示される画面のイメージを示す図である。コントローラ部２００のＣＰＵ２０１は、画面１５００を表示し、例えば、「ＩＤカードを挿入してください」等のログインを促すログイン画面を表示する。ユーザがログインを完了後、図７（ａ）のＳ２００１で、コントローラ部２００の内部で保持されている取り忘れ原稿ステータスを０に初期化し、画面１５０１を表示する。ＣＰＵ２０１は、Ｓ２００２でユーザからのジョブが投入されたか否かを判断し、ジョブが投入されたと判断した場合には、Ｓ２００３で、ジョブが終了したか否かを判断する。ＣＰＵ２０１は、Ｓ２００３で、ジョブが終了しないと判断した場合には、ジョブが終了するまで待機する。ＣＰＵ２０１は、Ｓ２００３で、ジョブが終了したと判断した場合には、Ｓ２００４で、画像読取部１００のＣＰＵ１２から通知された取り忘れ原稿ありなし情報に基づき、取り忘れ原稿ステータスを図７（ｂ）のフローチャートに基づいて更新する。
【００４２】
ＣＰＵ２０１は、Ｓ２１０１で画像読取部１００から取り忘れ原稿あり情報が通知されたと判断した場合、Ｓ２１０２で取り忘れ原稿ステータスを１にし、Ｓ２１０１で、取り忘れ原稿あり情報が通知されないと判断した場合にはＳ２１０３の処理に進む。ＣＰＵ２０１は、Ｓ２１０３で取り忘れ原稿なし情報が通知されたと判断した場合、Ｓ２１０４で取り忘れ原稿ステータスを０にし、取り忘れ原稿ステータスの更新を終了する。また、ＣＰＵ２０１は、Ｓ２１０３で取り忘れ原稿なし情報が通知されないと判断した場合は、取り忘れ原稿ステータスの更新を終了する。ユーザがログアウトの操作をするまで、ジョブの受付と実行を行う。
【００４３】
ＣＰＵ２０１は、Ｓ２００５でユーザが画面１５０１のログアウトボタンを押したと判断した場合、Ｓ２００６で取り忘れ原稿ステータスが１か否かを判断し、Ｓ２００５でユーザがログアウトボタンを押したと判断しない場合には、Ｓ２００２の処理に戻る。ＣＰＵ２０１は、Ｓ２００６で、取り忘れ原稿ステータスが１でないと判断した場合、Ｓ２００９で、「ＩＤカードを取り除いてください」という画面１５０２を表示して、Ｓ２０１０でＩＤカードが取り除かれるのを待ち、ログアウトを完了する。ＣＰＵ２０１は、Ｓ２００６で、取り忘れ原稿ステータスが１であると判断した場合には、Ｓ２００７で、「原稿を取り除いてください」という画面１５０３を表示し、ユーザに原稿が残存していることを報知する。そして、ＣＰＵ２０１は、Ｓ２００８で、画像読取部１００からの取り忘れ原稿ステータス通知によって取り忘れ原稿ありステータスを更新した後、Ｓ２００６の処理に戻り、原稿が取り除かれるまで待つ。その結果、ユーザは原稿が取り除かれるまで、ログアウトを完了できないため、原稿の取り忘れに気づくことができる。
【００４４】
本実施例によれば、ユーザが厚手原稿の圧板スキャンや、通常の読み取り動作と異なる読み取り動作を行った場合でも、ユーザが原稿を取り忘れていたか否かを精度よく検知することができる。
【符号の説明】
【００４５】
１２    ＣＰＵ
２６    圧板
５２    プラテンガラス
５９    読取ユニット
６１    圧板開閉センサ
【図１】
2013214897.tif 000003
【図２】
2013214897.tif 000004
【図３】
2013214897.tif 000005
【図４】
2013214897.tif 000006
【図５】
2013214897.tif 000007
【図６】
2013214897.tif 000008
【図７】
2013214897.tif 000009
【図８】
2013214897.tif 000010